(57)【要約】車両制御システムにおいて、外界状況を認識する外界認識部と、自車両の加減速および操舵のうち少なくとも一方を自動的に制御する自動運転を行う自動運転制御部であって、前記外界認識部により認識された外界状況に基づいて、自動運転のモードから手動運転のモードに切り替えるハンドオーバを実行する自動運転制御部と、認識された前記外界状況に基づいて、前記ハンドオーバの発生可能性を予測するハンドオーバ予測部と、情報を出力する出力部と、前記ハンドオーバ予測部により前記ハンドオーバの発生可能性が高いと予測された場合に、車両乗員に対してハンドオーバへの準備を促す情報を出力するように前記出力部を制御するインターフェース制御部と、を備える。
2017183077.tif 000002
【特許請求の範囲】
【請求項１】
外界状況を認識する外界認識部と、
自車両の加減速および操舵のうち少なくとも一方を自動的に制御する自動運転を行う自動運転制御部であって、前記外界認識部により認識された外界状況に基づいて、自動運転のモードから手動運転のモードに切り替えるハンドオーバを実行する自動運転制御部と、
前記外界認識部により認識された外界状況に基づいて、前記ハンドオーバの発生可能性を予測するハンドオーバ予測部と、
情報を出力する出力部と、
前記ハンドオーバ予測部により前記ハンドオーバの発生可能性が高いと予測された場合に、車両乗員に対してハンドオーバへの準備を促す情報を出力するように前記出力部を制御するインターフェース制御部と、
を備える車両制御システム。
【請求項２】
前記インターフェース制御部は、
前記ハンドオーバ予測部により予測された前記ハンドオーバの発生可能性が高い地点に到達する前の所定のタイミングで、前記情報を出力するように前記出力部を制御する、
請求項１記載の車両制御システム。
【請求項３】
手動運転が実行される場合に運転操作を行う車両乗員の車内における状況を取得する車両乗員状況取得部をさらに備え、
前記インターフェース制御部は、
前記車両乗員状況取得部により取得された車両乗員状況に基づいて、前記ハンドオーバへの準備を促す情報の出力可否を決定する、
請求項１に記載の車両制御システム。
【請求項４】
手動運転が実行される場合に運転操作を行う車両乗員の車内における状況を取得する車両乗員状況取得部をさらに備え、
前記インターフェース制御部は、
前記車両乗員状況取得部により取得された車両乗員状況に基づいて、前記ハンドオーバへの準備を促す情報の出力態様を変更する、
請求項１に記載の車両制御システム。
【請求項５】
車載コンピュータが、
外界状況を認識し、
自車両の加減速および操舵のうち少なくとも一方を自動的に制御する自動運転を行うにあたり、認識された外界状況に基づいて、自動運転のモードから手動運転のモードに切り替えるハンドオーバを実行し、
認識された前記外界状況に基づいて、前記ハンドオーバの発生可能性を予測し、
前記ハンドオーバの発生可能性が高いと予測された場合に、車両乗員に対してハンドオーバへの準備を促す情報を出力するように、情報を出力する出力部を制御する、
車両制御方法。
【請求項６】
車載コンピュータに、
外界状況を認識し、
自車両の加減速および操舵のうち少なくとも一方を自動的に制御する自動運転を行うにあたり、認識された外界状況に基づいて、自動運転のモードから手動運転のモードに切り替えるハンドオーバを実行し、
認識された前記外界状況に基づいて、前記ハンドオーバの発生可能性を予測し、
前記ハンドオーバの発生可能性が高いと予測された場合に、車両乗員に対してハンドオーバへの準備を促す情報を出力するように、情報を出力する出力部を制御する、
処理を実行させるための車両制御プログラム。
【発明の詳細な説明】
【技術分野】
【０００１】
本発明は、車両制御システム、車両制御方法、および車両制御プログラムに関する。
【背景技術】
【０００２】
近年、目的地までの経路に沿って自車両が走行するように、自車両の加減速および操舵のうち、少なくとも一方を自動的に制御する技術（以下、「自動運転」という）についての研究が進められている。これに関連して、自動運転から手動運転に移行するハンドオーバを乗員に通知する通知手段を備えた運転モード制御装置が開示されている（例えば、特許文献１参照）。
【先行技術文献】
【特許文献】
【０００３】
【特許文献１】特開２０１６−０１８２３８号公報
【発明の概要】
【発明が解決しようとする課題】
【０００４】
上記のハンドオーバの通知は、自動運転から手動運転への切り替えが行われる直前のタイミングで行われる。車両乗員は、自動運転の際には、例えば十分に前方を注視していなかったり、ゆったりした着座姿勢をとっていたりするなどして、手動運転に適した状況にない場合もある。このために、例えばハンドオーバの通知が行われたときに、車両乗員が手動運転に対応できる状況にないため、自動運転から手動運転への切り替えに即座に対応して手動運転の準備ができない場合があった。【０００５】
本発明は、このような事情を考慮してなされたものであり、自動運転から手動運転へのハンドオーバが行われるタイミングで車両乗員が手動運転の準備ができているようにすることができる車両制御システム、車両制御方法、および車両制御プログラムを提供することを目的の一つとする。
【課題を解決するための手段】
【０００６】
請求項１に記載の発明は、外界状況を認識する外界認識部（１４２）と、自車両の加減速および操舵のうち少なくとも一方を自動的に制御する自動運転を行う自動運転制御部（１２０）であって、前記外界認識部により認識された外界状況に基づいて、自動運転のモードから手動運転のモードに切り替えるハンドオーバを実行する自動運転制御部と、前記外界認識部により認識された外界状況に基づいて、前記ハンドオーバの発生可能性を予測するハンドオーバ予測部（１５５）と、情報を出力する出力部（７０）と、前記ハンドオーバ予測部により前記ハンドオーバの発生可能性が高いと予測された場合に、車両乗員に対してハンドオーバへの準備を促す情報を出力するように前記出力部を制御するインターフェース制御部（１７０）と、を備える車両制御システムである。【０００７】
請求項２に記載の発明は、請求項１に記載の車両制御システムであって、前記インターフェース制御部は、前記ハンドオーバ予測部により予測された前記ハンドオーバの発生可能性が高い地点に到達する間の所定タイミングで、前記情報を出力するように前記出力部を制御するものである。【０００８】
請求項３に記載の発明は、請求項１に記載の車両制御システムであって、手動運転が実行される場合に運転操作を行う車両乗員の車内における状況を取得する車両乗員状況取得部（１７１）をさらに備え、前記インターフェース制御部は、前記車両乗員状況取得部により取得された車両乗員状況に基づいて、前記ハンドオーバへの準備を促す情報の出力可否を決定するものである。【０００９】
請求項４に記載の発明は、請求項１に記載の車両制御システムであって、手動運転が実行される場合に運転操作を行う車両乗員の車内における状況を取得する車両乗員状況取得部（１７１）をさらに備え、前記インターフェース制御部は、前記車両乗員状況取得部により取得された車両乗員状況に基づいて、前記ハンドオーバへの準備を促す情報の出力態様を変更するものである。【００１０】
請求項５に記載の発明は、車載コンピュータが、外界状況を認識し、自車両の加減速および操舵のうち少なくとも一方を自動的に制御する自動運転を行うにあたり、認識された外界状況に基づいて、自動運転のモードから手動運転のモードに切り替えるハンドオーバを実行し、認識された前記外界状況に基づいて、前記ハンドオーバの発生可能性を予測し、前記ハンドオーバの発生可能性が高いと予測された場合に、車両乗員に対してハンドオーバへの準備を促す情報を出力するように、情報を出力する出力部を制御する、車両制御方法である。【００１１】
請求項６に記載の発明は、車載コンピュータに、外界状況を認識し、自車両の加減速および操舵のうち少なくとも一方を自動的に制御する自動運転を行うにあたり、認識された外界状況に基づいて、自動運転のモードから手動運転のモードに切り替えるハンドオーバを実行し、前記ハンドオーバの発生可能性を予測し、認識された前記外界状況に基づいて、前記ハンドオーバの発生可能性が高いと予測された場合に、車両乗員に対してハンドオーバへの準備を促す情報を出力するように、情報を出力する出力部を制御する、処理を実行させるための車両制御プログラムである。
【発明の効果】
【００１２】
請求項１、５、および６に記載の発明によれば、外界状況に応じて自動運転から手動運転へのハンドオーバが発生する可能性が高い場合には、ハンドオーバの発生前のタイミングでハンドオーバへの準備を促す情報を出力することができる。これにより、自動運転から手動運転へのハンドオーバが行われるタイミングで車両乗員が手動運転の準備ができているようにすることができる。【００１３】
請求項２に記載の発明によれば、自動運転が実行されている状態において先の走行経路において自動運転から手動運転へのハンドオーバの発生する可能性の高い地点を予測したことに応じて、ハンドオーバの発生する可能性の高い地点に車両が到達するよりも前のタイミングで、ハンドオーバへの準備を促す情報を出力することができる。これにより、自動運転から手動運転へのハンドオーバに対する準備を促す情報を適切なタイミングで出力することが可能になる。【００１４】
請求項３に記載の発明によれば、ハンドオーバの発生する可能性が高いと判定されたタイミングでの車両乗員の状況に応じて、ハンドオーバへの準備を促す情報を出力する、あるいは出力しないようにすることができる。これにより、ハンドオーバの発生する可能性が高い状況であっても、乗車乗員がハンドオーバへの準備を促す必要のないような状況である場合には、無駄にハンドオーバへの準備を促す情報を出力させないようにすることができる。【００１５】
請求項４に記載の発明によれば、ハンドオーバの発生する可能性が高いと判定されたタイミングでの車両乗員の状況に応じて、ハンドオーバへの準備を促す情報の出力の態様を異ならせることができる。これにより、例えば車両乗員が手動運転に対してどの程度準備できているのかに応じて、ハンドオーバへの準備を促す情報について適切な内容を出力することができる。
【図面の簡単な説明】
【００１６】
【図１】実施形態の車両制御システム１００が搭載される車両の構成要素を示す図である。
【図２】本実施形態に係る車両制御システム１００を中心とした機能構成図である。
【図３】ＨＭＩ７０の構成図である。
【図４】自車位置認識部１４０により走行車線Ｌ１に対する自車両Ｍの相対位置が認識される様子を示す図である。
【図５】ある区間について生成された行動計画の一例を示す図である。
【図６】軌道生成部１４６の構成の一例を示す図である。
【図７】軌道候補生成部１４６Ｂにより生成される軌道の候補の一例を示す図である。
【図８】軌道候補生成部１４６Ｂにより生成される軌道の候補を軌道点Ｋで表現した図である。
【図９】車線変更ターゲット位置ＴＡを示す図である。
【図１０】３台の周辺車両の速度を一定と仮定した場合の速度生成モデルを示す図である。
【図１１】第１実施形態に係る車両制御システム１００がハンドオーバ準備通知の出力に関連して実行する処理手順例を示すフローチャートである。
【図１２】第１実施形態に係る車両制御システム１００が実行する外界状況認識処理についての処理手順例を示すフローチャートである。
【図１３】第２実施形態に係る車両制御システム１００を中心とした機能構成図である。
【図１４】第２実施形態に係る車両乗員状況取得部１７１が取得する車両乗員状況の具体例を説明する図である。
【図１５】第２実施形態に係る車両制御システム１００がハンドオーバ準備通知の出力に関連して実行する処理手順例を示すフローチャートである。
【図１６】第３実施形態に係る車両制御システム１００がハンドオーバ準備通知の出力に関連して実行する処理手順例を示すフローチャートである。
【発明を実施するための形態】
【００１７】
以下、図面を参照し、本発明の車両制御システム、車両制御方法、および車両制御プログラムの実施形態について説明する。
【００１８】
＜共通構成＞
図１は、実施形態の車両制御システム１００が搭載される車両（以下、自車両Ｍと称する）の構成要素を示す図である。車両制御システム１００が搭載される車両は、例えば、二輪や三輪、四輪等の自動車であり、ディーゼルエンジンやガソリンエンジン等の内燃機関を動力源とした自動車や、電動機を動力源とした電気自動車、内燃機関および電動機を兼ね備えたハイブリッド自動車等を含む。電気自動車は、例えば、二次電池、水素燃料電池、金属燃料電池、アルコール燃料電池等の電池により放電される電力を使用して駆動される。
【００１９】
図１に示すように、自車両Ｍには、ファインダ２０−１から２０−７、レーダ３０−１から３０−６、およびカメラ４０等のセンサと、ナビゲーション装置（表示部）５０と、車両制御システム１００とが搭載される。
【００２０】
ファインダ２０−１から２０−７は、例えば、照射光に対する散乱光を測定し、対象までの距離を測定するＬＩＤＡＲ（Light Detection and Ranging、或いはLaser Imaging Detection and Ranging）である。例えば、ファインダ２０−１は、フロントグリル等に取り付けられ、ファインダ２０−２および２０−３は、車体の側面やドアミラー、前照灯内部、側方灯付近等に取り付けられる。ファインダ２０−４は、トランクリッド等に取り付けられ、ファインダ２０−５および２０−６は、車体の側面や尾灯内部等に取り付けられる。上述したファインダ２０−１から２０−６は、例えば、水平方向に関して１５０度程度の検出領域を有している。また、ファインダ２０−７は、ルーフ等に取り付けられる。ファインダ２０−７は、例えば、水平方向に関して３６０度の検出領域を有している。
【００２１】
レーダ３０−１および３０−４は、例えば、奥行き方向の検出領域が他のレーダよりも広い長距離ミリ波レーダである。また、レーダ３０−２、３０−３、３０−５、３０−６は、レーダ３０−１および３０−４よりも奥行き方向の検出領域が狭い中距離ミリ波レーダである。
【００２２】
以下、ファインダ２０−１から２０−７を特段区別しない場合は、単に「ファインダ２０」と記載し、レーダ３０−１から３０−６を特段区別しない場合は、単に「レーダ３０」と記載する。レーダ３０は、例えば、ＦＭ−ＣＷ（Frequency Modulated Continuous Wave）方式によって物体を検出する。
【００２３】
カメラ４０は、例えば、ＣＣＤ（Charge Coupled Device）やＣＭＯＳ（Complementary Metal Oxide Semiconductor）等の個体撮像素子を利用したデジタルカメラである。カメラ４０は、フロントウインドシールド上部やルームミラー裏面等に取り付けられる。カメラ４０は、例えば、周期的に繰り返し自車両Ｍの前方を撮像する。カメラ４０は、複数のカメラを含むステレオカメラであってもよい。
【００２４】
なお、図１に示す構成はあくまで一例であり、構成の一部が省略されてもよいし、更に別の構成が追加されてもよい。
【００２５】
図２は、本実施形態に係る車両制御システム１００を中心とした機能構成図である。自車両Ｍには、ファインダ２０、レーダ３０、およびカメラ４０等を含む検知デバイスＤＤと、ナビゲーション装置５０と、通信装置５５と、車両センサ６０と、ＨＭＩ（Human Machine Interface）７０と、車両制御システム１００と、走行駆動力出力装置２００と、ステアリング装置２１０と、ブレーキ装置２２０とが搭載される。これらの装置や機器は、ＣＡＮ（Controller Area Network）通信線等の多重通信線やシリアル通信線、無線通信網等によって互いに接続される。なお、請求の範囲における車両制御システムは、「車両制御システム１００」のみを指しているのではなく、車両制御システム１００以外の構成（検知部ＤＤやＨＭＩ７０等）を含んでもよい。
【００２６】
ナビゲーション装置５０は、ＧＮＳＳ（Global Navigation Satellite System）受信機や地図情報（ナビ地図）、ユーザインターフェースとして機能するタッチパネル式表示装置、スピーカ、マイク等を有する。ナビゲーション装置５０は、ＧＮＳＳ受信機によって自車両Ｍの位置を特定し、その位置からユーザによって指定された目的地までの経路を導出する。ナビゲーション装置５０により導出された経路は、車両制御システム１００の目標車線決定部１１０に提供される。自車両Ｍの位置は、車両センサ６０の出力を利用したＩＮＳ（Inertial Navigation System）によって特定または補完されてもよい。また、ナビゲーション装置５０は、目的地に至る経路について音声やナビ表示によって案内を行う。なお、自車両Ｍの位置を特定するための構成は、ナビゲーション装置５０とは独立して設けられてもよい。また、ナビゲーション装置５０は、例えば、ユーザの保有するスマートフォンやタブレット端末等の端末装置の機能によって実現されてもよい。この場合、端末装置と車両制御システム１００との間で、無線または有線による通信によって情報の送受信が行われる。
【００２７】
通信装置５５は、例えば、セルラー網やＷｉ−Ｆｉ網、Ｂｌｕｅｔｏｏｔｈ（登録商標）、ＤＳＲＣ（Dedicated Short Range Communication）等を利用した無線通信を行う。
【００２８】
車両センサ６０は、車速を検出する車速センサ、加速度を検出する加速度センサ、鉛直軸回りの角速度を検出するヨーレートセンサ、自車両Ｍの向きを検出する方位センサ等を含む。
【００２９】
図３は、ＨＭＩ７０の構成図である。ＨＭＩ７０は、例えば、運転操作系の構成と、非運転操作系の構成とを備える。これらの境界は明確なものではなく、運転操作系の構成が非運転操作系の機能を備える（或いはその逆）ことがあってもよい。また、これらの運転操作系は、自車両Ｍの車両乗員の操作を受け付ける操作受付部の一例である。
【００３０】
ＨＭＩ７０は、運転操作系の構成として、例えばアクセルペダル７１、アクセル開度センサ７２およびアクセルペダル反力出力装置７３と、ブレーキペダル７４およびブレーキ踏量センサ（或いはマスター圧センサ等）７５と、シフトレバー７６およびシフト位置センサ７７と、ステアリングホイール７８、ステアリング操舵角センサ７９およびステアリングトルクセンサ８０と、その他運転操作デバイス８１とを含む。
【００３１】
アクセルペダル７１は、車両乗員による加速指示（或いは戻し操作による減速指示）を受け付けるための操作子である。アクセル開度センサ７２は、アクセルペダル７１の踏み込み量を検出し、踏み込み量を示すアクセル開度信号を車両制御システム１００に出力する。なお、車両制御システム１００に出力するのに代えて、走行駆動力出力装置２００、ステアリング装置２１０、またはブレーキ装置２２０に直接出力することがあってもよい。以下に説明する他の運転操作系の構成についても同様である。アクセルペダル反力出力装置７３は、例えば車両制御システム１００からの指示に応じて、アクセルペダル７１に対して操作方向と反対向きの力（操作反力）を出力する。
【００３２】
ブレーキペダル７４は、車両乗員による減速指示を受け付けるための操作子である。ブレーキ踏量センサ７５は、ブレーキペダル７４の踏み込み量（或いは踏み込み力）を検出し、検出結果を示すブレーキ信号を車両制御システム１００に出力する。
【００３３】
シフトレバー７６は、車両乗員によるシフト段の変更指示を受け付けるための操作子である。シフト位置センサ７７は、車両乗員により指示されたシフト段を検出し、検出結果を示すシフト位置信号を車両制御システム１００に出力する。
【００３４】
ステアリングホイール７８は、車両乗員による旋回指示を受け付けるための操作子である。ステアリング操舵角センサ７９は、ステアリングホイール７８の操作角を検出し、検出結果を示すステアリング操舵角信号を車両制御システム１００に出力する。ステアリングトルクセンサ８０は、ステアリングホイール７８に加えられたトルクを検出し、検出結果を示すステアリングトルク信号を車両制御システム１００に出力する。なお、ステアリングホイール７８に関する制御として、例えば反力モータ等によりステアリング軸にトルクを出力することで、ステアリングホイール７８に対して操作反力を出力してもよい。
【００３５】
その他運転操作デバイス８１は、例えば、ジョイスティック、ボタン、ダイヤルスイッチ、ＧＵＩ（Graphical User Interface）スイッチ等である。その他運転操作デバイス８１は、加速指示、減速指示、旋回指示等を受け付け、車両制御システム１００に出力する。
【００３６】
ＨＭＩ７０は、非運転操作系の構成として、例えば、表示装置（表示部）８２、スピーカ８３、接触操作検出装置８４およびコンテンツ再生装置８５と、各種操作スイッチ８６と、シート８８およびシート駆動装置８９と、ウインドウガラス９０およびウインドウ駆動装置９１と、車室内カメラ９５とを含む。
【００３７】
表示装置８２は、例えば、インストルメントパネルの各部、助手席や後部座席に対向する任意の箇所等に取り付けられる、ＬＣＤ（Liquid Crystal Display）や有機ＥＬ（Electroluminescence）表示装置等である。また、表示装置８２は、フロントウインドシールドやその他のウインドウに画像を投影するＨＵＤ（Head Up Display）であってもよい。スピーカ８３は、音声を出力する。接触操作検出装置８４は、表示装置８２がタッチパネルである場合に、表示装置８２の表示画面における接触位置（タッチ位置）を検出して、車両制御システム１００に出力する。なお、表示装置８２がタッチパネルでない場合、接触操作検出装置８４は省略されてよい。
【００３８】
コンテンツ再生装置８５は、例えば、ＤＶＤ（Digital Versatile Disc）再生装置、ＣＤ（Compact Disc）再生装置、テレビジョン受信機、各種案内画像の生成装置等を含む。表示装置８２、スピーカ８３、接触操作検出装置８４およびコンテンツ再生装置８５は、一部または全部がナビゲーション装置５０と共通する構成であってもよい。
【００３９】
各種操作スイッチ８６は、車室内の任意の箇所に配置される。各種操作スイッチ８６には、自動運転の開始（或いは将来の開始）および停止を指示する自動運転切替スイッチ８７を含む。自動運転切替スイッチ８７は、ＧＵＩ（Graphical User Interface）スイッチ、機械式スイッチの何れであってもよい。また、各種操作スイッチ８６は、シート駆動装置８９やウインドウ駆動装置９１を駆動するためのスイッチを含んでもよい。
【００４０】
シート８８は、車両乗員が着座する座席シートである。シート駆動装置８９は、シート８８のリクライニング角度、前後方向位置、ヨー角等を自在に駆動する。ウインドウガラス９０は、例えば各ドアに設けられる。ウインドウ駆動装置９１は、ウインドウガラス９０を開閉駆動する。
【００４１】
車室内カメラ９５は、ＣＣＤやＣＭＯＳ等の個体撮像素子を利用したデジタルカメラである。車室内カメラ９５は、バックミラーやステアリングボス部、インストルメントパネル等、運転操作を行う車両乗員の少なくとも頭部を撮像可能な位置に取り付けられる。カメラ４０は、例えば、周期的に繰り返し車両乗員を撮像する。
【００４２】
車両制御システム１００の説明に先立って、走行駆動力出力装置２００、ステアリング装置２１０、およびブレーキ装置２２０について説明する。
【００４３】
走行駆動力出力装置２００は、車両が走行するための走行駆動力（トルク）を駆動輪に出力する。走行駆動力出力装置２００は、例えば、自車両Ｍが内燃機関を動力源とした自動車である場合、エンジン、変速機、およびエンジンを制御するエンジンＥＣＵ（Electronic Control Unit）を備え、自車両Ｍが電動機を動力源とした電気自動車である場合、走行用モータおよび走行用モータを制御するモータＥＣＵを備え、自車両Ｍがハイブリッド自動車である場合、エンジン、変速機、およびエンジンＥＣＵと走行用モータおよびモータＥＣＵとを備える。走行駆動力出力装置２００がエンジンのみを含む場合、エンジンＥＣＵは、後述する走行制御部１６０から入力される情報に従って、エンジンのスロットル開度やシフト段等を調整する。走行駆動力出力装置２００が走行用モータのみを含む場合、モータＥＣＵは、走行制御部１６０から入力される情報に従って、走行用モータに与えるＰＷＭ信号のデューティ比を調整する。走行駆動力出力装置２００がエンジンおよび走行用モータを含む場合、エンジンＥＣＵおよびモータＥＣＵは、走行制御部１６０から入力される情報に従って、互いに協調して走行駆動力を制御する。
【００４４】
ステアリング装置２１０は、例えば、ステアリングＥＣＵと、電動モータとを備える。電動モータは、例えば、ラックアンドピニオン機構に力を作用させて転舵輪の向きを変更する。ステアリングＥＣＵは、車両制御システム１００から入力される情報、或いは入力されるステアリング操舵角またはステアリングトルクの情報に従って電動モータを駆動し、転舵輪の向きを変更させる。
【００４５】
ブレーキ装置２２０は、例えば、ブレーキキャリパーと、ブレーキキャリパーに油圧を伝達するシリンダと、シリンダに油圧を発生させる電動モータと、制動制御部とを備える電動サーボブレーキ装置である。電動サーボブレーキ装置の制動制御部は、走行制御部１６０から入力される情報に従って電動モータを制御し、制動操作に応じたブレーキトルクが各車輪に出力されるようにする。電動サーボブレーキ装置は、ブレーキペダルの操作によって発生させた油圧を、マスターシリンダを介してシリンダに伝達する機構をバックアップとして備えてよい。なお、ブレーキ装置２２０は、上記説明した電動サーボブレーキ装置に限らず、電子制御式油圧ブレーキ装置であってもよい。電子制御式油圧ブレーキ装置は、走行制御部１６０から入力される情報に従ってアクチュエータを制御して、マスターシリンダの油圧をシリンダに伝達する。また、ブレーキ装置２２０は、走行駆動力出力装置２００に含まれ得る走行用モータによる回生ブレーキを含んでもよい。
【００４６】
［車両制御システム］
以下、車両制御システム１００について説明する。車両制御システム１００は、例えば、一以上のプロセッサまたは同等の機能を有するハードウェアにより実現される。車両制御システム１００は、ＣＰＵ（Central Processing Unit）等のプロセッサ、記憶装置、および通信インターフェースが内部バスによって接続されたＥＣＵ（Electronic Control Unit）、或いはＭＰＵ（Micro-Processing Unit）等が組み合わされた構成であってよい。
【００４７】
図２に戻り、車両制御システム１００は、例えば、目標車線決定部１１０と、自動運転制御部１２０と、走行制御部１６０と、ＨＭＩ制御部１７０と、記憶部１８０とを備える。自動運転制御部１２０は、例えば、自動運転モード制御部１３０と、自車位置認識部１４０と、外界認識部１４２と、行動計画生成部１４４と、軌道生成部１４６と、切替制御部１５０とを備える。目標車線決定部１１０、自動運転制御部１２０の各部、走行制御部１６０、およびＨＭＩ制御部１７０のうち一部または全部は、プロセッサがプログラム（ソフトウェア）を実行することにより実現される。また、これらのうち一部または全部は、ＬＳＩ（Large Scale Integration）やＡＳＩＣ（Application Specific Integrated Circuit）等のハードウェアによって実現されてもよいし、ソフトウェアとハードウェアの組み合わせによって実現されてもよい。
【００４８】
記憶部１８０には、例えば、高精度地図情報１８２、目標車線情報１８４、行動計画情報１８６等の情報が格納される。記憶部１８０は、ＲＯＭ（Read Only Memory）やＲＡＭ（Random Access Memory）、ＨＤＤ（Hard Disk Drive）、フラッシュメモリ等で実現される。プロセッサが実行するプログラムは、予め記憶部１８０に格納されていてもよいし、車載インターネット設備等を介して外部装置からダウンロードされてもよい。また、プログラムは、そのプログラムを格納した可搬型記憶媒体が図示しないドライブ装置に装着されることで記憶部１８０にインストールされてもよい。また、車両制御システム１００は、複数のコンピュータ装置によって分散化されたものであってもよい。
【００４９】
目標車線決定部１１０は、例えば、ＭＰＵにより実現される。目標車線決定部１１０は、ナビゲーション装置５０から提供された経路を複数のブロックに分割し（例えば、車両進行方向に関して１００［ｍ］毎に分割し）、高精度地図情報１８２を参照してブロックごとに目標車線を決定する。目標車線決定部１１０は、例えば、左から何番目の車線を走行するといった決定を行う。目標車線決定部１１０は、例えば、経路において分岐箇所や合流箇所等が存在する場合、自車両Ｍが、分岐先に進行するための合理的な走行経路を走行できるように、目標車線を決定する。目標車線決定部１１０により決定された目標車線は、目標車線情報１８４として記憶部１８０に記憶される。
【００５０】
高精度地図情報１８２は、ナビゲーション装置５０が有するナビ地図よりも高精度な地図情報である。高精度地図情報１８２は、例えば、車線の中央の情報あるいは車線の境界の情報等を含んでいる。また、高精度地図情報１８２には、道路情報、交通規制情報、住所情報（住所・郵便番号）、施設情報、電話番号情報等が含まれてよい。道路情報には、高速道路、有料道路、国道、都道府県道といった道路の種別を表す情報や、道路の車線数、各車線の幅員、道路の勾配、道路の位置（経度、緯度、高さを含む３次元座標）、車線のカーブの曲率、車線の合流および分岐ポイントの位置、道路に設けられた標識等の情報が含まれる。交通規制情報には、工事や交通事故、渋滞等によって車線が封鎖されているといった情報が含まれる。
【００５１】
自動運転制御部１２０は、目的地までの経路に沿って自車両Ｍが走行するように、自車両Ｍの加減速および操舵のうち少なくとも一方を自動的に制御する。
【００５２】
自動運転モード制御部１３０は、自動運転制御部１２０が実施する自動運転のモードを決定する。本実施形態における自動運転のモードには、以下のモードが含まれる。なお、以下はあくまで一例であり、自動運転のモード数は任意に決定されてよい。
【００５３】
［第１モード］
第１モードは、他のモードと比べて最も自動運転の度合が高いモードである。第１モードが実施されている場合、複雑な合流制御等、全ての車両制御が自動的に行われるため、車両乗員は自車両Ｍの周辺や状態を監視する必要がない。
【００５４】
［第２モード］
第２モードは、第１モードの次に自動運転の度合が高いモードである。第２モードが実施されている場合、原則として全ての車両制御が自動的に行われるが、場面に応じて自車両Ｍの運転操作が車両乗員に委ねられる。このため、車両乗員は、車両Ｍの周辺や状態を監視している必要がある。
【００５５】
［第３モード］
第３モードは、第２モードの次に自動運転の度合が高いモードである。第３モードが実施されている場合、車両乗員は、場面に応じた確認操作をＨＭＩ７０に対して行う必要がある。第３モードでは、例えば、車線変更のタイミングが車両乗員に通知され、車両乗員がＨＭＩ７０に対して車線変更を指示する操作を行った場合に、自動的な車線変更が行われる。このため、車両乗員は自車両Ｍの周辺や状態を監視している必要がある。
【００５６】
自動運転モード制御部１３０は、ＨＭＩ７０に対する車両乗員の操作、行動計画生成部１４４により決定されたイベント、軌道生成部１４６により決定された走行態様等に基づいて、自動運転のモードを決定する。自動運転のモードは、ＨＭＩ制御部１７０に通知される。また、自動運転のモードには、自車両Ｍの検知デバイスＤＤの性能等に応じた限界が設定されてもよい。例えば、検知デバイスＤＤの性能が低い場合には、第１モードは実施されないものとしてよい。いずれのモードにおいても、ＨＭＩ７０における運転操作系の構成に対する操作によって、手動運転モードに切り替えること（オーバーライド）は可能である。
【００５７】
自動運転制御部１２０の自車位置認識部１４０は、記憶部１８０に格納された高精度地図情報１８２と、ファインダ２０、レーダ３０、カメラ４０、ナビゲーション装置５０、または車両センサ６０から入力される情報とに基づいて、自車両Ｍが走行している車線（走行車線）、および、走行車線に対する自車両Ｍの相対位置を認識する。
【００５８】
自車位置認識部１４０は、例えば、高精度地図情報１８２から認識される道路区画線のパターン（例えば実線と破線の配列）と、カメラ４０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００５９】
図４は、自車位置認識部１４０により走行車線Ｌ１に対する自車両Ｍの相対位置が認識される様子を示す図である。自車位置認識部１４０は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置として認識する。なお、これに代えて、自車位置認識部１４０は、自車線Ｌ１の何れかの側端部に対する自車両Ｍの基準点の位置等を、走行車線に対する自車両Ｍの相対位置として認識してもよい。自車位置認識部１４０により認識される自車両Ｍの相対位置は、行動計画生成部１４４に提供される。
【００６０】
外界認識部１４２は、ファインダ２０、レーダ３０、カメラ４０等から入力される情報に基づいて、周辺車両の位置、および速度、加速度等の状態を認識する。周辺車両とは、例えば、自車両Ｍの周辺を走行する車両であって、自車両Ｍと同じ方向に走行する車両である。周辺車両の位置は、他車両の重心やコーナー等の代表点で表されてもよいし、他車両の輪郭で表現された領域で表されてもよい。周辺車両の「状態」とは、上記各種機器の情報に基づいて把握される、周辺車両の加速度、車線変更をしているか否か（あるいは車線変更をしようとしているか否か）を含んでもよい。また、外界認識部１４２は、周辺車両に加えて、ガードレールや電柱、駐車車両、歩行者その他の物体の位置を認識してもよい。
【００６１】
行動計画生成部１４４は、自動運転のスタート地点、および／または自動運転の目的地を設定する。自動運転のスタート地点は、自車両Ｍの現在位置であってもよいし、自動運転を指示する操作がなされた地点でもよい。行動計画生成部１４４は、そのスタート地点と自動運転の目的地との間の区間において、行動計画を生成する。なお、これに限らず、行動計画生成部１４４は、任意の区間について行動計画を生成してもよい。
【００６２】
行動計画は、例えば、順次実行される複数のイベントで構成される。イベントには、例えば、自車両Ｍを減速させる減速イベントや、自車両Ｍを加速させる加速イベント、走行車線を逸脱しないように自車両Ｍを走行させるレーンキープイベント、走行車線を変更させる車線変更イベント、自車両Ｍに前走車両を追い越させる追い越しイベント、分岐ポイントにおいて所望の車線に変更させたり、現在の走行車線を逸脱しないように自車両Ｍを走行させたりする分岐イベント、本線に合流するための合流車線において自車両Ｍを加減速させ、走行車線を変更させる合流イベント、ハンドオーバイベント等が含まれる。
【００６３】
ここで、本実施形態におけるハンドオーバとしては、予定ハンドオーバ、状況対応ハンドオーバおよびオーバーライド対応ハンドオーバを含む。
予定ハンドオーバは、予定された自動運転の終了予定地点で自動運転モードから手動運転モードに移行させるハンドオーバである。
状況対応ハンドオーバは、自動運転モードにおいて、天候、道路等の外界状況が自動運転に適切でない状況となることに応じて手動運転モードに移行させるハンドオーバである。つまり状況対応ハンドオーバは、外界状況に基づいて、自動運転モードから手動運転モードに切り替えるハンドオーバの一例である。状況対応ハンドオーバを行うべきか否かの判定に用いられる外界状況は、外界認識部１４２によって認識される。
オーバーライド対応ハンドオーバは、自動運転を実行しているときに、運転意思のある操作が車両乗員によって行われたことに応じて手動運転モードに移行させるハンドオーバである。
【００６４】
行動計画生成部１４４は、目標車線決定部１１０により決定された目標車線が切り替わる箇所において、車線変更イベント、分岐イベント、または合流イベントを設定する。行動計画生成部１４４によって生成された行動計画を示す情報は、行動計画情報１８６として記憶部１８０に格納される。
【００６５】
図５は、ある区間について生成された行動計画の一例を示す図である。図示するように、行動計画生成部１４４は、目標車線情報１８４が示す目標車線上を自車両Ｍが走行するために必要な行動計画を生成する。なお、行動計画生成部１４４は、自車両Ｍの状況変化に応じて、目標車線情報１８４に拘わらず、動的に行動計画を変更してもよい。例えば、行動計画生成部１４４は、車両走行中に外界認識部１４２によって認識された周辺車両の速度が閾値を超えたり、自車線に隣接する車線を走行する周辺車両の移動方向が自車線方向に向いたりした場合に、自車両Ｍが走行予定の運転区間に設定されたイベントを変更する。例えば、レーンキープイベントの後に車線変更イベントが実行されるようにイベントが設定されている場合において、外界認識部１４２の認識結果によって当該レーンキープイベント中に車線変更先の車線後方から車両が閾値以上の速度で進行してきたことが判明した場合、行動計画生成部１４４は、レーンキープイベントの次のイベントを、車線変更イベントから減速イベントやレーンキープイベント等に変更してよい。この結果、車両制御システム１００は、外界の状態に変化が生じた場合においても、安全に自車両Ｍを自動走行させることができる。
【００６６】
図６は、軌道生成部１４６の構成の一例を示す図である。軌道生成部１４６は、例えば、走行態様決定部１４６Ａと、軌道候補生成部１４６Ｂと、評価・選択部１４６Ｃとを備える。
【００６７】
走行態様決定部１４６Ａは、例えば、レーンキープイベントを実施する際に、定速走行、追従走行、低速追従走行、減速走行、カーブ走行、障害物回避走行等のうち何れかの走行態様を決定する。例えば、走行態様決定部１４６Ａは、自車両Ｍの前方に他車両が存在しない場合に、走行態様を定速走行に決定する。また、走行態様決定部１４６Ａは、前走車両に対して追従走行するような場合に、走行態様を追従走行に決定する。また、走行態様決定部１４６Ａは、渋滞場面等において、走行態様を低速追従走行に決定する。また、走行態様決定部１４６Ａは、外界認識部１４２により前走車両の減速が認識された場合や、停車や駐車等のイベントを実施する場合に、走行態様を減速走行に決定する。また、走行態様決定部１４６Ａは、外界認識部１４２により自車両Ｍがカーブ路に差し掛かったことが認識された場合に、走行態様をカーブ走行に決定する。また、走行態様決定部１４６Ａは、外界認識部１４２により自車両Ｍの前方に障害物が認識された場合に、走行態様を障害物回避走行に決定する。また、走行態様決定部１４６Ａは、車線変更イベント、追い越しイベント、分岐イベント、合流イベント、ハンドオーバイベントなどを実施する場合に、それぞれのイベントに応じた走行態様を決定する。
【００６８】
軌道候補生成部１４６Ｂは、走行態様決定部１４６Ａにより決定された走行態様に基づいて、軌道の候補を生成する。図７は、軌道候補生成部１４６Ｂにより生成される軌道の候補の一例を示す図である。図７は、自車両Ｍが車線Ｌ１から車線Ｌ２に車線変更する場合に生成される軌道の候補を示している。
【００６９】
軌道候補生成部１４６Ｂは、図７に示すような軌道を、例えば、将来の所定時間ごとに、自車両Ｍの基準位置（例えば重心や後輪軸中心）が到達すべき目標位置（軌道点Ｋ）の集まりとして決定する。図８は、軌道候補生成部１４６Ｂにより生成される軌道の候補を軌道点Ｋで表現した図である。軌道点Ｋの間隔が広いほど、自車両Ｍの速度は速くなり、軌道点Ｋの間隔が狭いほど、自車両Ｍの速度は遅くなる。従って、軌道候補生成部１４６Ｂは、加速したい場合には軌道点Ｋの間隔を徐々に広くし、減速したい場合は軌道点の間隔を徐々に狭くする。
【００７０】
このように、軌道点Ｋは速度成分を含むものであるため、軌道候補生成部１４６Ｂは、軌道点Ｋのそれぞれに対して目標速度を与える必要がある。目標速度は、走行態様決定部１４６Ａにより決定された走行態様に応じて決定される。
【００７１】
ここで、車線変更（分岐を含む）を行う場合の目標速度の決定手法について説明する。軌道候補生成部１４６Ｂは、まず、車線変更ターゲット位置（或いは合流ターゲット位置）を設定する。車線変更ターゲット位置は、周辺車両との相対位置として設定されるものであり、「どの周辺車両の間に車線変更するか」を決定するものである。軌道候補生成部１４６Ｂは、車線変更ターゲット位置を基準として３台の周辺車両に着目し、車線変更を行う場合の目標速度を決定する。
【００７２】
図９は、車線変更ターゲット位置ＴＡを示す図である。図中、Ｌ１は自車線を表し、Ｌ２は隣接車線を表している。ここで、自車両Ｍと同じ車線で、自車両Ｍの直前を走行する周辺車両を前走車両ｍＡ、車線変更ターゲット位置ＴＡの直前を走行する周辺車両を前方基準車両ｍＢ、車線変更ターゲット位置ＴＡの直後を走行する周辺車両を後方基準車両ｍＣと定義する。自車両Ｍは、車線変更ターゲット位置ＴＡの側方まで移動するために加減速を行う必要があるが、この際に前走車両ｍＡに追いついてしまうことを回避しなければならない。このため、軌道候補生成部１４６Ｂは、３台の周辺車両の将来の状態を予測し、各周辺車両と干渉しないように目標速度を決定する。
【００７３】
図１０は、３台の周辺車両の速度を一定と仮定した場合の速度生成モデルを示す図である。図中、ｍＡ、ｍＢおよびｍＣから延出する直線は、それぞれの周辺車両が定速走行したと仮定した場合の進行方向における変位を示している。自車両Ｍは、車線変更が完了するポイントＣＰにおいて、前方基準車両ｍＢと後方基準車両ｍＣとの間にあり、且つ、それ以前において前走車両ｍＡよりも後ろにいなければならない。このような制約の下、軌道候補生成部１４６Ｂは、車線変更が完了するまでの目標速度の時系列パターンを、複数導出する。そして、目標速度の時系列パターンをスプライン曲線等のモデルに適用することで、上述した図８に示すような軌道の候補を複数導出する。なお、３台の周辺車両の運動パターンは、図１０に示すような定速度に限らず、定加速度、定ジャーク（躍度）を前提として予測されてもよい。
【００７４】
評価・選択部１４６Ｃは、軌道候補生成部１４６Ｂにより生成された軌道の候補に対して、例えば、計画性と安全性の二つの観点で評価を行い、走行制御部１６０に出力する軌道を選択する。計画性の観点からは、例えば、既に生成されたプラン（例えば行動計画）に対する追従性が高く、軌道の全長が短い場合に軌道が高く評価される。例えば、右方向に車線変更することが望まれる場合に、一旦左方向に車線変更して戻るといった軌道は、低い評価となる。安全性の観点からは、例えば、それぞれの軌道点において、自車両Ｍと物体（周辺車両等）との距離が遠く、加減速度や操舵角の変化量等が小さいほど高く評価される。
【００７５】
切替制御部１５０は、自動運転切替スイッチ８７から入力される信号に基づいて自動運転モードと手動運転モードとを相互に切り替える。また、切替制御部１５０は、車両乗員からの操作に基づいて自動運転モードから手動運転モードに切り替えるオーバーライドを行う。
【００７６】
＜第１実施形態＞
前述のように、本実施形態においては、ハンドオーバの１つとして状況対応ハンドオーバが行われる。状況対応ハンドオーバは、自動運転が行われている状態のもとで、外界状況が自動運転の継続に適さない地点となることに応じて、自動運転モードから手動運転モードに移行させるハンドオーバである。
上記のように状況対応ハンドオーバは、事前に予定されるようなものでなく外界の状況に応じて行われるものである。このため、車両乗員にとっては、予期せずして状況対応ハンドオーバによる自動運転モードから手動運転モードに切り替わるようなことが起こる可能性がある。この場合、例えば手動運転モードに切り替わる際に、ユーザが手動運転モードに対応して即座に運転ができるような状態ではない場合がある。
【００７７】
そこで、本実施形態の車両制御システム１００は、以下に説明する構成により、走行先の地点での状況対応ハンドオーバの発生可能性を予測し、状況対応ハンドオーバが発生すると予測した場合には、事前にハンドオーバ準備通知（ハンドオーバへの準備を促す情報の一例）を乗車乗員に出力するように構成される。ハンドオーバ準備通知は、先の地点で状況対応ハンドオーバによる手動運転モードへの切り替えが発生する可能性が高いことから、状況対応ハンドオーバの発生に備えて、今から手動運転が十分に可能な体勢をとってもらうことを促す通知である。ハンドオーバ準備通知は、例えば音声によって行われる。さらにハンドオーバ準備通知は、表示も併用されてよい。
【００７８】
上記のようなハンドオーバ準備通知のため、本実施形態における自動運転制御部１２０は、ハンドオーバ予測部１５５を備える。ハンドオーバ予測部１５５は、ハンドオーバの発生可能性を予測する。本実施形態おいて、ハンドオーバ予測部１５５は、外界認識部１４２により認識された外界状況の変化に基づいてハンドオーバの発生可能性を予測する。
【００７９】
図１１のフローチャートは、本実施形態の車両制御システム１００がハンドオーバ準備通知の出力に関連して実行する処理手順例を示している。同図の処理は、自動運転モードによる自動運転の実行中において、一定時間ごとに繰り返し実行される。
外界認識部１４２は、状況対応ハンドオーバの発生予測に対応する外界状況認識処理を実行する（ステップＳ１００）。
【００８０】
図１２のフローチャートは、図１１のステップＳ１００としての外界状況認識処理の処理手順例を示している。
外界認識部１４２は、外界状況の１つとして、天候状況を認識する（ステップＳ２００）。具体的に、外界認識部１４２は、通信装置５５経由で受信される天気予報の情報を利用して、現在位置に対応する天気を推定することができる。また、外界認識部１４２は、例えば検知デバイスＤＤが降雨センサを含む場合には、降雨センサの検知出力に基づいて降雨状況を認識することができる。降雨センサは、例えば自車両Ｍに対して雨滴の検知が可能なように設けられるセンサである。また、外界認識部１４２は、検知デバイスＤＤに含まれる湿度計や、外気の温度を測定する温度計などの計測値に基づいて現在位置に対応する天気を推定することができる。
【００８１】
また、外界認識部１４２は、外界状況の１つとして路面状況を認識する（ステップＳ２０２）。外界認識部１４２は、路面状況として自車両Ｍが走行する道路の路面における凹凸の度合いなどを認識する。外界認識部１４２は、例えば車両センサ６０が備える加速度センサが出力する信号から路面の凹凸状態に応じた成分を抽出し、抽出された信号の成分を解析することによって路面状況を認識することができる。
【００８２】
また、外界認識部１４２は、外界状況の１つとして道路形状を認識する（ステップＳ２０４）。外界認識部１４２は、道路形状として、自車両Ｍが走行する道路の曲率を認識する。外界認識部１４２は、例えば高精度地図情報１８２を利用することで自車両Ｍが走行する道路の曲率を認識することができる。また、外界認識部１４２は、道路形状として、例えば道路の勾配についても認識してもよい。
【００８３】
また、外界認識部１４２は、外界状況の１つとして、渋滞状況を認識する（ステップＳ２０６）。外界認識部１４２は、例えば現在実行中の自動運転のもとで予定されている走行経路における渋滞状況を認識する。外界認識部１４２は、例えば通信装置５５を経由して受信した交通情報を利用して渋滞状況を認識できる。
【００８４】
また、外界認識部１４２は、外界状況の１つとして、検知デバイスＤＤを用いた自動運転に関する検知状況の良否について認識する（ステップＳ２０８）。ここでの検知状況の良否とは、例えば検知デバイスＤＤについて、自動運転に対応して正常に検知結果が得られているか否かを示す。
例えば、雨が強かったり、雪が積もっていたりする場合には、検知デバイスＤＤが備えるカメラ４０の撮像画像に基づく車線の検知が行えないような状態となる。即ち、外界認識部１４２は、検知状況の良否の１つとして、車線が正常に検知されているか否かについて認識することができる。
また、外界認識部１４２は、検知デバイスの故障などにより正常な検知が行えない状況についても検知状況の良否として認識してよい。
【００８５】
なお、同図においては、天候状況、路面状況、道路形状、渋滞状況および検知状況良否の順で外界状況の認識を行っているが、これらの外界状況の認識順については特に限定されない。また、外界認識部１４２は、これらの外界状況について同時に並行して認識するようにしてもよい。
【００８６】
説明を図１１に戻す。ハンドオーバ予測部１５５は、ステップＳ１００による外界状況の認識結果に基づいて、走行経路における先の地点において状況対応ハンドオーバが発生する高さ（状況対応ハンドオーバ発生度）を算出する（ステップＳ１０２）。
ハンドオーバ予測部１５５による状況対応ハンドオーバ発生度の算出手法については特に限定されない。
一例として、ハンドオーバ予測部１５５例えば図１２のステップＳ２００〜Ｓ２０８のそれぞれにより認識された外界状況に応じて重み付け値を設定する。例えば、外界状況として認識された天候状況が晴れであれば、重み付け値は低い。これに対して、認識された天候状況が雨や雪などであれば天候状況に対応する重み付け値は高くなり、さらに認識された降雨量や積雪量が多くなるにつれて、天候状況に対応する重み付け値は高くなる。
また、例えば、外界状況として認識された路面状況としての凹凸の度合いを示す値が大きいほど路面状況に対応する重み付け値は高くなる。
また、例えば外界状況として認識された道路形状として、これより先の走行経路における道路の曲率が小さく、また、カーブの数が多くなるほど、道路状況に対応する重み付け値は高くなる。
また、例えば外界状況として認識された渋滞状況として、これより先の走行経路における渋滞の度合いが高く、また、渋滞している距離が長いほど、渋滞状況に対応する重み付け値は高くなる。
また、外界状況として認識された検知状況として、例えば車線などをはじめとする検知対象について正常に検知できない状態が発生する頻度が高くなるほど、検知状況に対応する重み付け値は高くなる。
ハンドオーバ予測部１５５は、各外界状況に設定された基準値に重み付け値を係数とする乗算を行って各外界状況の点数を算出する。各外界状況については、点数が高いほど、自動運転には適していない状況であることが示される。
【００８７】
ハンドオーバ予測部１５５は、例えば各外界状況について算出された点数を合計した総合点数を算出する。総合点数が高いほど、自動運転には適していない外界状況であることが示される。ハンドオーバ予測部１５５は、このように算出された総合点数を状況対応ハンドオーバ発生度とする。
なお、ハンドオーバ予測部１５５は、当該ステップＳ１０２において状況対応ハンドオーバ発生度を算出するにあたり、状況対応ハンドオーバ発生度に対応する走行経路上の地点も特定する。
【００８８】
ハンドオーバ予測部１５５は、ステップＳ１０２により算出された状況対応ハンドオーバ発生度が一定以上であるか否かについて判定する（ステップＳ１０４）。このために、ハンドオーバ予測部１５５は、状況対応ハンドオーバ発生度を所定の閾値と比較すればよい。
【００８９】
状況対応ハンドオーバ発生度が一定以上である場合、ＨＭＩ制御部１７０（インターフェース制御部の一例）は、ハンドオーバ準備通知を行う（ステップＳ１０６）。
ＨＭＩ制御部１７０は、例えば、ＨＭＩ７０（出力部の一例）におけるスピーカ８３からハンドオーバ準備通知としての音声が出力されるように制御する。また、ＨＭＩ制御部１７０は、例えば、音声によるハンドオーバ準備通知とともに、ＨＭＩ７０における表示装置８２（出力部の一例）やナビゲーション装置５０の表示部（出力部の一例）などにおいて、ハンドオーバ準備通知としてのメッセージが文字や画像などにより表示されるようにしてもよい。
また、ハンドオーバ準備通知に際しては、状況対応ハンドオーバが発生する可能性のある地点（ハンドオーバ予測地点）を音声や画像により車両乗員に通知してもよい。音声による場合には、現在位置からハンドオーバ予測地点までの距離を通知すればよい。また、画像による場合には、ナビ地図上にハンドオーバ予測地点を示す表示を行うようにすればよい。
【００９０】
一方、状況対応ハンドオーバ発生度が一定未満である場合、ステップＳ１０６がスキップされ、同図の処理が終了される。この場合、ハンドオーバ準備通知は行われない。
【００９１】
＜第２実施形態＞
続いて、第２実施形態について説明する。上記の第１実施形態のように、状況対応ハンドオーバが発生する可能性が高い状況となったことに応じてハンドオーバ準備通知を出力することで、車両乗員は、ハンドオーバ準備通知を行うべきタイミングにおいて、車両乗員は、状況対応ハンドオーバの発生するまでに手動運転が可能な体勢を整えておくように準備することができる。
しかしながら、ハンドオーバ準備通知が行われる際に、乗車乗員が手動運転を行おうとしており、手動運転が可能な態勢が整っているような状況となる場合も多いと考えられる。このような状況では、例えば車両乗員がハンドオーバ準備通知に煩わしさを覚える可能性もあり、敢えてハンドオーバ準備通知を行う必要もないと考えることができる。
そこで、本実施形態の車両制御システム１００は、ハンドオーバ準備通知を行うべきタイミングにおいて、ハンドオーバの発生に応じて手動運転を行うこととなる車両乗員について、手動運転が可能な態勢が整っているか否かについて範囲する。そして、車両制御システム１００は、手動運転が可能な態勢が整っていないのであればハンドオーバ準備通知を行い、手動運転が可能な態勢が整っていれば、ハンドオーバ準備通知を行う。
【００９２】
図１３は、本実施形態における車両制御システム１００の構成例を示している。同図において、図２と同一部分については同一符号を伏して説明を省略する。
本実施形態の車両制御システム１００は、ＨＭＩ制御部１７０において車両乗員状況取得部１７１を備える。車両乗員状況取得部１７１は、手動運転が実行される場合に運転操作を行う車両乗員の車内における状況を取得する。
【００９３】
図１４を参照して、車両乗員状況取得部１７１が取得する車両乗員状況の具体例について説明する。同図は、自車両Ｍ内の車両乗員の状態例を示している。
図１４（Ａ）、（Ｂ）においては、車両乗員が着座するシート３００を示している。シート３００は、ＨＭＩ７０におけるシート８８の一例である。図１４の例において、シート３００は、座部（シートクッション）３０２と、背もたれ部（シートバック）３０４と、ヘッドレスト３０６と、リクライニング調節部３０８と、荷重センサ３１０と、固定部３１２とを備える。リクライニング調節部３０８は、座部３０２と背もたれ部３０４とが成す角度（リクライニング角度）を調節する機構を有する。リクライニング調節部３０８は、上述の角度の情報を取得することができる。荷重センサ３１０は、シート３００に対する荷重を測定する。図１４（Ａ）、（Ｂ）の例では、座部３０２用の荷重センサ３１０Ａと、背もたれ部３０４用の荷重センサ３１０Ｂと、ヘッドレスト３０６用の荷重センサ３１０Ｃとを備えているが、これに限定されるものではない。各荷重センサ３１０Ａ〜３１０Ｃは、例えば板状のものでもよく、また複数のセンサが等間隔に配列されたものでもよい。
【００９４】
固定部３１２は、例えば自車両Ｍが自動運転時等の場合に、車両乗員Ｐが図１４（Ｂ）に示すようにあぐら等をかいているような場合に姿勢を固定する。固定部３１２は、例えば背もたれ部３０４から引き出されるベルト状のものでもよく、背もたれ部３０４の側面に設けられた移動可能な部材であってもよい。固定部３１２は、例えば、図１４（Ｂ）に示すように、車両乗員Ｐの脇を固定するものでもよく、腰または股間付近を固定するもの（例えば、突起部材）でもよい。
【００９５】
また、自車両Ｍは、自車両Ｍ内の空間を撮像する車室内カメラ（撮像部）４００を備える。上述したリクライニング調節部３０８と、荷重センサ３１０と、車室内カメラ４００とは、上述したＨＭＩ７０の一例である。車両乗員状況取得部１７１は、上述したリクライニング調節部３０８、荷重センサ３１０、および車室内カメラ４００のうち、少なくとも１つから得られる情報から車両乗員状況を取得する。車両乗員状況取得部１７１は、取得した車両乗員状況に基づいて、車両乗員は現在において手動運転が可能な態勢（手動運転準備態勢）が整っているか否かについて判定する。
【００９６】
例えば、車両乗員状況取得部１７１は、リクライニング調節部３０８から取得したリクライニング角度θを車両乗員状況の１つとして取得し、運転準備態勢が整っているか否かの判定に用いることができる。
即ち、車両乗員状況取得部１７１は、リクライニング調節部３０８から取得したリクライニング角度θが所定角度以上である場合（背もたれ部３０４が所定角度以上傾斜している場合）、手動運転準備態勢が整っていないと判定する。一方、車両乗員状況取得部１７１は、リクライニング角度θが所定値以下である場合、手動運転準備態勢が整っていると判定する。
【００９７】
図１４（Ａ）の例において、リクライニング角度θ１が所定値θｓより小さい場合に、車両乗員状況取得部１７１は、車両乗員Ｐの手動運転準備態勢が整っていると判定する。一方、図１４（Ｂ）に示すように、リクライニング角度θ２が、所定値θｓより大きい場合、車両乗員状況取得部１７１は、車両乗員Ｐの手動運転準備態勢が整っていないと判定する。
【００９８】
また、車両乗員状況取得部１７１は、荷重センサ３１０Ａ〜３１０Ｃのそれぞれの荷重分布を車両乗員状況の１つとして取得し、運転準備態勢が整っているか否かの判定に用いることができる。なお、以降の説明にあたり、荷重センサ３１０Ａ〜３１０Ｃについて特に区別しない場合には、荷重センサ３１０と記載する。
例えば、図１４（Ａ）に示すように、車両乗員Ｐがステアリングホイール５００を把持できるような状態の場合、荷重センサ３１０Ａの荷重が高く、荷重センサ３１０Ｂ、３１０Ｃの荷重は低い。一方、図１４（Ｂ）に示すように、シート３００の背もたれ部３０４を傾斜させている場合、車両乗員Ｐによる荷重センサ３１０Ｂ、３１０Ｃの荷重が高くなる。したがって、車両乗員状況取得部１７１は、各荷重センサ３１０Ａ〜３１０Ｃから取得したそれぞれの荷重分布に基づいて車両乗員Ｐの手動運転準備態勢が整っているか否かについて判定することができる。
【００９９】
例えば、各荷重センサ３１０Ａ〜３１０Ｃによる荷重の差が所定値以下である場合、図１４（Ｂ）に示すように車両乗員Ｐが背もたれ部３０４やヘッドレスト３０６に寄りかかっているため、車両乗員Ｐの運転準備態勢は整っていないと判定することができる。また、車両乗員状況取得部１７１は、図１４（Ａ）に示すように、各荷重センサ３１０Ａ〜３１０Ｃの荷重の差が所定値より大きい場合、車両乗員Ｐがすぐにステアリングホイール５００を把持して運転が開始できる状態であるから、運転準備態勢が整っていると判定する。
【０１００】
また、本実施形態では、車両乗員状況取得部１７１は、上述した車室内カメラ４００により車両乗員Ｐを撮像して得られる撮像画像に基づいて車両乗員状況を取得し、車両乗員Ｐの運転準備態勢が整っているか否かについての判定に用いることができる。
例えば、車両乗員状況取得部１７１は、車室内カメラ４００の撮像画像に基づいて、車両乗員Ｐの体や目の動き、顔の輪郭を基準とした輝度または形状等の特徴情報により、目の開閉動作や視線方向などの目視に関する状態（目視状態）を車両乗員状況として取得することができる。車両乗員状況取得部１７１は、取得した目視状態を車両乗員状況の１つとして取得する。
車両乗員状況取得部１７１は、取得した目視状態に基づき、車両乗員Ｐの目が閉じている状態が所定時間以上である場合には、車両乗員Ｐが眠っているとして、車両乗員Ｐの運転準備態勢が整っていないと判定する。一方、車両乗員状況取得部１７１は、取得した目視状態に基づき、視線が自車両Ｍの外（例えば、自車両の進行方向）を向いている場合や、目が開いている場合には、車両乗員Ｐの運転準備態勢が整っていると判定する。
【０１０１】
また、車両乗員状況取得部１７１は、車室内カメラ４００により撮像された撮像画像に含まれる車両乗員Ｐの輪郭形状と予め設定された輪郭形状との形状マッチング等により、車両乗員Ｐの姿勢を推定し、推定結果を車両乗員状況として取得してもよい。車両乗員状況取得部１７１は、姿勢推定の結果、例えば車両乗員Ｐがあぐらをかいている、またはステアリングホイール５００に寄りかかっている姿勢をとっていると推定した場合、車両乗員Ｐの運転準備態勢が整っていないと判定することができる。
また、車両乗員状況取得部１７１は、車室内カメラ４００により撮像された画像に基づいて、車両乗員Ｐにより固定部３１２が使用されているか否かについて推定した結果を車両乗員状況として取得することができる。車両乗員状況取得部１７１は、固定部３１２が使用されていることが推定された場合に、車両乗員Ｐが眠っている、あるいは休憩している状態であるとして、車両乗員Ｐの運転準備態勢が整っていないと判定する。
なお、固定部３１２には、車両乗員Ｐが固定部３１２を用いて姿勢を固定したことを検知するセンサを設けてもよい。車両乗員状況取得部１７１は、上記のセンサにより固定部３１２が使用されていることを検知した場合に、車両乗員Ｐの運転準備態勢が整っていないと判定することができる。
【０１０２】
本実施形態の車両乗員状況取得部１７１は、例えば上述のリクライニング角度、荷重センサ３１０の荷重分布、目視状態、姿勢状態、および固定部３１２の使用状態の５つの車両乗員状況のうちのいずれか１つを利用して、運転準備態勢が整っているか否かについて判定してもよい。あるいは、車両乗員状況取得部１７１は、上記の５つの車両乗員状況のうちの複数を総合的に利用して運転準備態勢が整っているか否かについての最終的判定を行うこともできる。一例として、複数の車両乗員状況のうちの全てについて運転準備態勢が整っていると判定された場合には、最終的に運転準備態勢が整っていると判定するが、１つでも車両乗員状況について運転準備態勢が整っていないと判定された場合には、最終的に運転準備態勢が整っていないと判定することができる。
【０１０３】
なお、車両乗員状況取得部１７１は、運転準備態勢の整い方の度合い（高さ、低さ）を数値化した情報（例えば、レベル値）を導出（設定）することができる。例えば、背もたれ部３０４が、所定値θｓ以上傾斜しており、且つ、車室内カメラ４００からの画像により車両乗員Ｐが眠っていると推定された場合、レベル値を１と設定し、所定値θｓ以上傾斜しているか、または、車室内カメラ４００からの画像により車両乗員Ｐが眠っていると推定された場合、レベル値を２と設定する。また、リクライニング角度θが所定値θｓ未満である場合、運転意思が高いと推定し、レベル値を５と設定する。なお、レベル値の設定内容については、これに限定されるものではない。
【０１０４】
上記のように運転準備態勢の整い方の度合いを数値化した場合、車両乗員状況取得部１７１は、例えば複数の車両乗員状況ごとに得られた運転準備態勢の整い方の度合いについてのレベル値を総合し、総合されたレベル値を閾値と比較することによって、最終的に運転準備態勢が整っているか否かについて判定するようにしてもよい。
【０１０５】
図１５のフローチャートは、本実施形態の車両制御システム１００がハンドオーバ準備通知の出力に関連して実行する処理手順例を示している。同図の処理は、自動運転モードによる自動運転の実行中において、一定時間ごとに繰り返し実行される。
【０１０６】
同図におけるステップＳ３００〜Ｓ３０４の処理は、図１１におけるステップＳ１００〜Ｓ１０４と同様となることから、ここでの説明を省略する。
【０１０７】
ステップＳ３０４により状況対応ハンドオーバの発生度が一定以上であると判定された場合、車両乗員状況取得部１７１は、車両乗員状況を取得する（ステップＳ３０６）。ステップＳ３０６において、車両乗員状況取得部１７１は、例えば、上述のリクライニング角度、荷重センサ３１０の荷重分布、目視状態、姿勢状態、および固定部３１２の使用状態の５つの車両乗員状況のうちから、運転準備態勢についての判定に利用するものを取得する。
【０１０８】
車両乗員状況取得部１７１は、ステップＳ３０６により取得した車両乗員状況を利用して、車両乗員の手動運転準備態勢が整っているか否かについて判定する（ステップＳ３０８）。
手動運転準備態勢が整っていないと判定された場合、ＨＭＩ制御部１７０は、ハンドオーバ準備通知を行う（ステップＳ３１０）。
一方、手動運転準備態勢が整っていると判定された場合、同図に示す処理が終了される。このように、手動運転準備態勢が整っていると判定された場合、ステップＳ３１０の処理がスキップされることから、ハンドオーバ準備通知は行われない。
このように、本実施形態におけるＨＭＩ制御部１７０は、車両乗員状況取得部１７１により取得された車両乗員状況に基づいて、ハンドオーバ準備通知の出力可否を決定する。
【０１０９】
＜第３実施形態＞
続いて、第３実施形態について説明する。先の第２実施形態においは、運転準備態勢が整っていると判定された場合には、ハンドオーバ準備通知は行われないようにされていた。
これに対して、本実施形態においては、運転準備態勢が整っていると判定された場合にもハンドオーバ準備通知が行われる。そのうえで、本実施形態においては、運転準備態勢が整っていないと判定された場合には、運転準備態勢を整えてもらうことを強く促す重度のハンドオーバ準備通知を行う。一方、運転準備態勢が整っていると判定された場合には、例えば現在の態勢を維持してもらうことを伝える程度の軽度のハンドオーバ準備通知を行う。即ち、本実施形態においては、運転準備態勢が整っているか否かに応じて、ハンドオーバ準備通知の出力態様を変更する。
本実施形態の場合、運転準備態勢が整っていると判定された場合にもハンドオーバ準備通知が行われることから、安全性を高めることができる。また、運転準備態勢が整っていると判定された場合のハンドオーバ準備通知は軽度のものであることから、車両乗員が既に運転準備態勢を整えているとしても、ハンドオーバ準備通知への煩わしさを感じにくい。
【０１１０】
図１６のフローチャートは、本実施形態の車両制御システム１００がハンドオーバ準備通知の出力に関連して実行する処理手順例を示している。同図の処理は、自動運転モードによる自動運転の実行中において、一定時間ごとに繰り返し実行される。
また、本実施形態における車両制御システム１００の構成は、図１３と同様でよい。
【０１１１】
同図におけるステップＳ４００〜Ｓ４０８の処理は、図１５におけるステップＳ３００〜Ｓ３０８と同様となることから、ここでの説明を省略する。
【０１１２】
手動運転準備態勢が整っていないと判定された場合、ＨＭＩ制御部１７０は、重度のハンドオーバ準備通知を行う（ステップＳ４１０）。一方、手動運転準備態勢が整っていると判定された場合、ＨＭＩ制御部１７０は、軽度のハンドオーバ準備通知を行う（ステップＳ４１２）。
【０１１３】
なお、上記各実施形態においては、自動運転の実行中において一定時間ごとに状況対応ハンドオーバの発生可能性が高いか否かについて逐次判定するようにされている。しかしながら、車両制御システム１００は、自動運転が開始されるタイミングで、自動運転の終了地点までの走行経路において状況対応ハンドオーバの発生可能性の高い地点を事前判定するようにしてもよい。そして、車両制御システム１００は、状況対応ハンドオーバの発生可能性の高い地点に到達する前の所定のタイミングで、ハンドオーバ準備通知を行うようにされてもよい。また、上記の事前判定と上記逐次判定とが組み合わされてもよい。
【０１１４】
以上、本発明を実施するための形態について実施形態を用いて説明したが、本発明はこうした実施形態に何等限定されるものではなく、本発明の要旨を逸脱しない範囲内において種々の変形及び置換を加えることができる。
【産業上の利用可能性】
【０１１５】
本発明は、自動車製造産業に利用することができる。
【符号の説明】
【０１１６】
２０…ファインダ、３０…レーダ、４０…カメラ、ＤＤ…検知デバイス、５０…ナビゲーション装置、５５…通信装置、６０…車両センサ、７０…ＨＭＩ、１００…車両制御システム、１１０…目標車線決定部、１２０…自動運転制御部、１３０…自動運転モード制御部、１４０…自車位置認識部、１４２…外界認識部、１４４…行動計画生成部、１４６…軌道生成部、１４６Ａ…走行態様決定部、１４６Ｂ…軌道候補生成部、１４６Ｃ…評価・選択部、１５０…切替制御部、１５２…車両乗員状態推定部、１５５…ハンドオーバ予測部、１６０…走行制御部、１７０…ＨＭＩ制御部、１７１…車両乗員状況取得部、１８０…記憶部、２００…走行駆動力出力装置、２１０…ステアリング装置、２２０…ブレーキ装置、３００…シート、３１０…荷重センサ、３１２…固定部、４００…車室内カメラ、５００…ステアリングホイール、Ｍ…自車両
【図１】
2017183077.tif 000003
【図２】
2017183077.tif 000004
【図３】
2017183077.tif 000005
【図４】
2017183077.tif 000006
【図５】
2017183077.tif 000007
【図６】
2017183077.tif 000008
【図７】
2017183077.tif 000009
【図８】
2017183077.tif 000010
【図９】
2017183077.tif 000011
【図１０】
2017183077.tif 000012
【図１１】
2017183077.tif 000013
【図１２】
2017183077.tif 000014
【図１３】
2017183077.tif 000015
【図１４】
2017183077.tif 000016
【図１５】
2017183077.tif 000017
【図１６】
2017183077.tif 000018
【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
外界状況を認識する外界認識部と、
自車両の加減速および操舵のうち少なくとも一方を自動的に制御する自動運転を行う自動運転制御部であって、前記外界認識部により認識された外界状況に基づいて、自動運転のモードから手動運転のモードに切り替えるハンドオーバを実行する自動運転制御部と、
前記外界認識部により認識された外界状況に基づいて、前記ハンドオーバの発生可能性を予測するハンドオーバ予測部と、
情報を出力する出力部と、
前記ハンドオーバ予測部により前記ハンドオーバの発生可能性が高いと予測された場合に、車両乗員に対してハンドオーバへの準備を促す情報を出力するように前記出力部を制御するインターフェース制御部と、
手動運転が実行される場合に運転操作を行う車両乗員の車内における状況を取得する車両乗員状況取得部と、
を備え、
前記インターフェース制御部は、前記車両乗員状況取得部により取得された車両乗員状況に基づいて、前記ハンドオーバへの準備を促す情報の出力程度を変更する、
車両制御システム。
【請求項２】
（削除）
【請求項３】
（削除）
【請求項４】
（削除）
【請求項５】
車載コンピュータが、
外界状況を認識し、
自車両の加減速および操舵のうち少なくとも一方を自動的に制御する自動運転を行うにあたり、認識された外界状況に基づいて、自動運転のモードから手動運転のモードに切り替えるハンドオーバを実行し、
認識された前記外界状況に基づいて、前記ハンドオーバの発生可能性を予測し、
前記ハンドオーバの発生可能性が高いと予測された場合に、車両乗員に対してハンドオーバへの準備を促す情報を出力するように、情報を出力する出力部を制御し、
手動運転が実行される場合に運転操作を行う車両乗員の車内における状況を取得し、
取得した車両乗員状況に基づいて、前記出力部により出力される前記ハンドオーバへの準備を促す情報の出力程度を変更する、
車両制御方法。
【請求項６】
車載コンピュータに、
外界状況を認識し、自車両の加減速および操舵のうち少なくとも一方を自動的に制御する自動運転を行うにあたり、認識された外界状況に基づいて、自動運転のモードから手動運転のモードに切り替えるハンドオーバを実行し、
認識された前記外界状況に基づいて、前記ハンドオーバの発生可能性を予測し、
前記ハンドオーバの発生可能性が高いと予測された場合に、車両乗員に対してハンドオーバへの準備を促す情報を出力するように、情報を出力する出力部を制御し、
手動運転が実行される場合に運転操作を行う車両乗員の車内における状況を取得し、
取得した車両乗員状況に基づいて、前記出力部により出力される前記ハンドオーバへの準備を促す情報の出力程度を変更する、
処理を実行させるための車両制御プログラム。
【国際調査報告】
2017183077.tif 000019
2017183077.tif 000020
2017183077.tif 000021